【手続補正書】
【提出日】令和1年11月25日(2019.11.25)
【手続補正１】
【補正対象書類名】特許請求の範囲
【補正対象項目名】全文
【補正方法】変更
【補正の内容】
【特許請求の範囲】
【請求項１】
捜索対象に第１の端末装置を付設し、第２の端末装置の近傍に所在する前記第１の端末装置を検知する捜索システムであって、
前記第１の端末装置は、
自装置の識別情報を含む第１の信号を第１の時間間隔で送信する識別信号送信部と、
前記第２の端末装置の動作を制御する第２の信号を第２の時間間隔で送信する制御信号送信部と
を備え、
前記第２の端末装置は、
前記第１の信号及び前記第２の信号を受信する受信部と、
前記受信部により受信された前記第１の信号に基づいて前記第１の端末装置の存在を検知する検知処理部と、
前記受信部が前記第１の信号を受信した場合に、受信した前記第１の信号を前記検知処理部に出力する起動状態と、受信した前記第１の信号を前記検知処理部に出力しない休眠状態とを動作状態として有し、前記第２の信号を受信した場合に前記起動状態の維持もしくは前記休眠状態から前記起動状態への移行を行う処理制御部と
を備え、
前記検知処理部は、前記処理制御部から出力された前記第１の信号に基づいて前記第１の端末装置の存在を検知する
ことを特徴とする捜索システム。
【請求項２】
前記識別情報は、前記第１の端末装置を一意に特定する固有情報と、前記第１の端末装置が複数存在する場合に各第１の端末装置に共通して付与される共通情報とを含み、
前記処理制御部は、前記休眠状態において、新たに受信された前記第１の信号の共通情報が直前に受信した前記第１の信号の共通情報と同一である場合には、新たに受信した前記第１の信号の前記検知処理部への出力を抑止する
ことを特徴とする請求項１に記載の捜索システム。
【請求項３】
前記処理制御部は、新たな共通情報を有する前記第１の信号又は前記第２の信号を最後に受信してから、当該共通情報とは異なる新たな共通情報を有する前記第１の信号及び前記第２の信号のいずれも受信しない状態が所定時間継続したことを条件に前記起動状態から前記休眠状態に移行することを特徴とする請求項２に記載の捜索システム。
【請求項４】
前記第２の時間間隔は前記所定時間よりも短いことを特徴とする請求項３に記載の捜索システム。
【請求項５】
前記検知処理部は、前記第１の信号に示された前記識別情報に自装置の位置情報を関連付けて管理装置に送信し、
前記管理装置は、前記第１の端末装置の前記識別情報と前記捜索対象とを対応付けて管理し、前記第２の端末装置から受信した前記識別情報及び前記位置情報に基づいて前記捜索対象の位置を特定する
ことを特徴とする請求項１〜４のいずれか一つに記載の捜索システム。
【請求項６】
捜索対象に第１の端末装置を付設し、第２の端末装置の近傍に所在する前記第１の端末装置を検知する捜索システムの捜索方法であって、
前記第１の端末装置が、自装置の識別情報を含む第１の信号を第１の時間間隔で送信する識別信号送信ステップと、
前記第１の端末装置が、前記第２の端末装置の動作を制御する第２の信号を第２の時間間隔で送信する制御信号送信ステップと、
前記第２の端末装置が、前記第１の信号及び前記第２の信号を受信する受信ステップと、
前記第２の端末装置が、前記受信ステップにより受信された前記第１の信号に基づいて前記第１の端末装置の存在を検知する検知処理ステップと、
前記第２の端末装置が、前記受信ステップにより前記第１の信号を受信した場合に、受信した前記第１の信号に基づいて前記検知処理ステップによる検知を実行する起動状態と、受信した前記第１の信号に基づく前記検知処理ステップによる検知を実行しない休眠状態とを動作状態として有し、前記第２の信号を受信した場合に前記起動状態の維持もしくは前記休眠状態から前記起動状態への移行を行う処理制御ステップと
を含むことを特徴とする捜索方法。
【手続補正２】
【補正対象書類名】明細書
【補正対象項目名】００１４
【補正方法】変更
【補正の内容】
【００１４】
上述した課題を解決し、目的を達成するため、本発明は、捜索対象に第１の端末装置を付設し、第２の端末装置の近傍に所在する前記第１の端末装置を検知する捜索システムであって、前記第１の端末装置は、自装置の識別情報を含む第１の信号を第１の時間間隔で送信する識別信号送信部と、前記第２の端末装置の動作を制御する第２の信号を第２の時間間隔で送信する制御信号送信部とを備え、前記第２の端末装置は、前記第１の信号及び前記第２の信号を受信する受信部と、前記受信部により受信された前記第１の信号に基づいて前記第１の端末装置の存在を検知する検知処理部と、前記受信部が前記第１の信号を受信した場合に、受信した前記第１の信号を前記検知処理部に出力する起動状態と、受信した前記第１の信号を前記検知処理部に出力しない休眠状態とを動作状態として有し、前記第２の信号を受信した場合に前記起動状態の維持もしくは前記休眠状態から前記起動状態への移行を行う処理制御部とを備え、前記検知処理部は、前記処理制御部から出力された前記第１の信号に基づいて前記第１の端末装置の存在を検知することを特徴とする。
【手続補正３】
【補正対象書類名】明細書
【補正対象項目名】００１５
【補正方法】変更
【補正の内容】
【００１５】
また、本発明は、上記の発明において、前記識別情報は、前記第１の端末装置を一意に特定する固有情報と、前記第１の端末装置が複数存在する場合に各第１の端末装置に共通して付与される共通情報とを含み、前記処理制御部は、前記休眠状態において、新たに受信された前記第１の信号の共通情報が直前に受信した前記第１の信号の共通情報と同一である場合には、新たに受信した前記第１の信号の前記検知処理部への出力を抑止することを特徴とする。
【手続補正４】
【補正対象書類名】明細書
【補正対象項目名】００１６
【補正方法】変更
【補正の内容】
【００１６】
また、本発明は、上記の発明において、前記処理制御部は、新たな共通情報を有する前記第１の信号又は前記第２の信号を最後に受信してから、当該共通情報とは異なる新たな共通情報を有する前記第１の信号及び前記第２の信号のいずれも受信しない状態が所定時間継続したことを条件に前記起動状態から前記休眠状態に移行することを特徴とする。
【手続補正５】
【補正対象書類名】明細書
【補正対象項目名】００１７
【補正方法】変更
【補正の内容】
【００１７】
また、本発明は、上記の発明において、前記第２の時間間隔は前記所定時間よりも短いことを特徴とする。
【手続補正６】
【補正対象書類名】明細書
【補正対象項目名】００１８
【補正方法】変更
【補正の内容】
【００１８】
また、本発明は、上記の発明において、前記検知処理部は、前記第１の信号に示された前記識別情報に自装置の位置情報を関連付けて管理装置に送信し、前記管理装置は、前記第１の端末装置の前記識別情報と前記捜索対象とを対応付けて管理し、前記第２の端末装置から受信した前記識別情報及び前記位置情報に基づいて前記捜索対象の位置を特定することを特徴とする。
【手続補正７】
【補正対象書類名】明細書
【補正対象項目名】００１９
【補正方法】変更
【補正の内容】
【００１９】
また、本発明は、捜索対象に第１の端末装置を付設し、第２の端末装置の近傍に所在する前記第１の端末装置を検知する捜索システムの捜索方法であって、前記第１の端末装置が、自装置の識別情報を含む第１の信号を第１の時間間隔で送信する識別信号送信ステップと、前記第１の端末装置が、前記第２の端末装置の動作を制御する第２の信号を第２の時間間隔で送信する制御信号送信ステップと、前記第２の端末装置が、前記第１の信号及び前記第２の信号を受信する受信ステップと、前記第２の端末装置が、前記受信ステップにより受信された前記第１の信号に基づいて前記第１の端末装置の存在を検知する検知処理ステップと、前記第２の端末装置が、前記受信ステップにより前記第１の信号を受信した場合に、受信した前記第１の信号に基づいて前記検知処理ステップによる検知を実行する起動状態と、受信した前記第１の信号に基づく前記検知処理ステップによる検知を実行しない休眠状態とを動作状態として有し、前記第２の信号を受信した場合に前記起動状態の維持もしくは前記休眠状態から前記起動状態への移行を行う処理制御ステップとを含むことを特徴とする。
【手続補正８】
【補正対象書類名】明細書
【補正対象項目名】００２０
【補正方法】変更
【補正の内容】
【００２０】
本発明によれば、対象端末の検知漏れを防止し、対象を高精度に検知することができる。